(57)【要約】      （修正有）【課題】ウォーキング式フィットネスマシン構造を提供する。【解決手段】使用者がペダルユニット５を踏み込み、駆動ギアを前或いは後へと回転させると、連棒の一端は駆動棒を中心軸として回転するため、連棒の反対端に連接される転棒３５はペダルユニット５の第二収容設置溝５３により位置を制限され、連棒はペダルユニット５を連動し上下及び前後方向で作動し、固定式軸棒外周の回転可能なスリーブを対応させ、ペダルユニット５が連棒に連動されて前後方向で移動すると、第一収容設置溝５２はペダルユニット５に前後方向移動の空間を提供し、軸棒、駆動棒、心軸の高さは略相同であり、踵はペダルユニット５後端に従い連棒の最低点へ移り、足の甲の前段は強制的に上がり、脹脛に対するストレッチの効果を形成し、連棒が駆動棒と駆動ギアを連動し回転させると、駆動ギアは前方と噛み合う伝動ギアを連動し、両側に配置されるフライホイールの回転を連動する。【選択図】図２
0003210356.tif 000002
【実用新案登録請求の範囲】
【請求項１】
ウォーキング式フィットネスマシン構造であって、ベース、サポートアセンブリ、駆動ギアユニット、慣性ギアユニット、２個のペダルユニット、及び、カバー蓋を有し、
前記サポートアセンブリは、第一サポート部材、軸棒、及び２個のスリーブを有し、前記第一サポート部材は、前記ベース前端に近い位置から、上方へと延伸して設置され、前記軸棒は、第一サポート部材の、ベースから離れた一端を貫通し、相互に垂直で、前記２個のスリーブは、回転可能なように、軸棒の両端に近い位置にそれぞれ嵌めて設置され、前記第一サポート部材の左右両側にそれぞれ位置し、
前記駆動ギアユニットは、第二サポート部材、駆動棒、駆動ギア、２個の連棒、及び２個の転棒を有し、前記第二サポート部材は、ベース後端に近い位置から上方へと延伸して設置され、前記第一サポート部材と間隔を開けて設置し、前記駆動棒は、前記第二サポート部材の前記ベースから離れた一端を貫通し、同時に駆動ギアの中心位置を貫通し、前記駆動棒と前記駆動ギアとは、相互に連動し、前記駆動棒と前記第二サポート部材とは垂直で、軸棒と平行で、前記２個の連棒は、回転可能なように、駆動棒の両端とそれぞれ連接し、前記駆動ギアの左右両側に位置し、
前記各連棒は、駆動棒の相互に対応する端から外へ、反対方向へと延伸して設置され、前記２個の転棒は、回転可能なように、相互に対応する各連棒の駆動棒から離れた一端を貫通し、前記各転棒と前記駆動棒とは相互に平行であり、
前記慣性ギアユニットは、第三サポート部材、心軸、伝動ギア、及び金属質製成で加重型の２個のフライホイールを有し、前記第三サポート部材は、前記ベースから上方へと延伸して設置され、前記第一サポート部材と前記第二サポート部材との間に位置し、前記心軸は、回転可能なように、第三サポート部材のベースから離れた一端を貫通し、前記心軸は、２個のフライホイールと伝動ギアとを貫通し、前記心軸と前記２個のフライホイール及び前記伝動ギアとは連動し、前記伝動ギアは、２個のフライホイールの間に位置し、前記伝動ギアと前記駆動ギアとは、相互に噛み合い、前記軸棒、前記駆動棒、及び、前記心軸の高さは略相同で、
前記連棒が駆動棒と駆動ギアを連動し回転させると同時に、前記伝動ギア及びその両側のフライホイールの回転を連動し、
前記２個のペダルユニットは、それぞれ前記ベースの左右両側に位置し、前記各ペダルユニットは、本体、第一収容設置溝、及び第二収容設置溝を有し、前記第一収容設置溝は、前記本体底面の前端に近い位置に設置され、これに相互に対応するスリーブを回転可能なように収容設置し、前記第一収容設置溝は、相互に対応するスリーブに相対して移動し、前記第二収容設置溝は、前記本体底面の後端に近い位置に設置され、これに相互に対応する転棒を回転可能なように収容設置し、及び位置を制限し、
前記カバー蓋は、前記サポートアセンブリ、前記駆動ギアユニット、及び前記慣性ギアユニットに蓋をし、前記２個のスリーブ、前記２個の連棒、及び前記２個の転棒は露出することを特徴とするウォーキング式フィットネスマシン構造。
【請求項２】
前記ベースは略Ｉ型を呈し、前横棒、連接棒、及び後横棒を有し、
前記連接棒の両端は、前記前横棒及び前記後横棒とそれぞれ連接し、前記連接棒と前記前横棒とは相互に垂直で、前記連接棒と前記後横棒とは相互に垂直であることを特徴とする請求項１に記載のウォーキング式フィットネスマシン構造。
【請求項３】
前記各転棒は、棒体及び２個の回転ランナーを有し、
前記２個の回転ランナーは、棒体の両端と、回転可能なように連接することを特徴とする請求項１に記載のウォーキング式フィットネスマシン構造。
【請求項４】
前記各ペダルユニットの前記第二収容設置溝は、連接空間及び２個の回転ランナー空間を有し、
前記連接空間の両端は、２個の回転ランナー空間とそれぞれ連通し、前記連接空間には、相互に対応する棒体を貫通させ、前記２個の回転ランナー空間には、相互に対応する２個の回転ランナーを回転可能なように、それぞれ、収容設置し、位置を制限することを特徴とする請求項３に記載のウォーキング式フィットネスマシン構造。
【請求項５】
前記ウォーキング式フィットネスマシン構造は、ケーシングを有し、前記ベース前端から上方へと延伸して設置され、前記ケーシングにＴ型ハンドルを上下に調整可能なように挿入して設置することを特徴とする請求項１に記載のウォーキング式フィットネスマシン構造。
【考案の詳細な説明】
【技術分野】
【０００１】
本考案はウォーキング式フィットネスマシン構造に関し、特に、足を踏み込む運動の過程で、足の甲の前段は強制的に上げられ、脹脛のストレッチ効果を生じるウォーキング式フィットネスマシン構造に関する。
【背景技術】
【０００２】
室内用の脹脛訓練機構において、プラットフォーム式ランニングマシンには、膝や踵に震動、圧力がかかり、運動傷害を生じやすいという問題がある。
【０００３】
この形式には、ステップマシン、スライディングマシン（橢円機、太空漫歩機等と俗称）、踏み込み型ステップデバイス等があるが、中でもスライディングマシンは、使用者が循環ストライドを形成する過程において、身体が上昇し、膝を曲げる運動を提供するものである。
【０００４】
スライディングマシンと、踏み込み型ステップデバイスとの共通点は以下の通りである。
【０００５】
使用者の足の甲と脹脛の挟角は略相等であるため、両足定点と垂直に往復、交差方式のステップマシンと同様、足の甲の前端を上げる脹脛部のストレッチ運動効果を達成することはできない。
【０００６】
前述のスライディングマシンは、立って使用しなければならず、また両手で握ることでバランスを取らなければならない欠点がある。
【０００７】
しかも、構造が複雑で体積は大きく、価格も高いため、通常は専門のフィットネスジム内に置かれ、一般家庭内での使用には適していない。
【０００８】
踏み込み型ステップデバイスは、座った姿勢で使用できるが、同様に構造が複雑で体積が大きく価格がやや高い等の欠点があり、個人が家庭で使用するための幅広い適用性では、体積が小さく、価格が安いステップマシン構造には及ばない。
【０００９】
通常のステップマシンには、特許文献１に開示するように、ステップフィットネス設備があり、それはベース、２個のプラットフォームパーツ、及び２個の弾性パーツを有する。
【００１０】
２個のプラットフォームパーツは、回転可能なように、ベースに結合され、２個の弾性パーツは、ベースの、対応するプラットフォームパーツの間を挟んで設置される。
【００１１】
弾性パーツは、プラットフォームパーツの反動を提供し、及び機械液圧圧力に代替し、これによりステップフィットネス設備の構造を単純化し、使用者は座った姿勢で、さまざまな方式を選択して操作することができる。
【００１２】
しかし、プラットフォームユニットの一端は、回転可能なようにベースと連接し、プラットフォームユニットの反対端は、弾性パーツと連接するため、使用者が踏み込むと、プラットフォームユニットは、ベースと連接する一端を回転軸として、弾性パーツと連接する一端は上下にスイングする。
【００１３】
すなわち、操作時に、使用者の足部は、上下方向の運動しかできない、ということである。
【００１４】
しかも、使用者の足部が施力していなければ直ちに停止してしまい、使用者足部の施力を軽減することはなく、或いは使用者足部を連動し、慣性方式で操作することもないため、非常に不便である。
【００１５】
特に、このタイプと一般に見られるステップマシン構造が生じる運動効果は、脹脛、膝部と踵との小角度の往復曲折操作を重視し、足の甲を強制的に上向きに上げる局部ストレッチ訓練効果を生じることはできるが、使用者が体重をかけ立った姿勢、及び元の場所で上下にステップする方式によらなければならないため、自然な歩行形態とは明らかな相違がある。
【００１６】
そのため、使用者に自然で快適な操作を提供できず、よって日常的、恒常的なストレッチ訓練作用を達成することはできない。
【先行技術文献】
【特許文献】
【００１７】
【特許文献１】米国特許第６７０５９７５号明細書
【考案の概要】
【考案が解決しようとする課題】
【００１８】
前記の先行技術には、使用者に自然で快適な操作を提供できず、日常的、恒常的なストレッチ訓練作用を達成することができない欠点がある。
【課題を解決するための手段】
【００１９】
本考案は、ウォーキング式フィットネスマシン構造に関する。
【００２０】
本考案によるウォーキング式フィットネスマシン構造は、使用者が自然な歩行の方式でペダルを踏むと、内部に金属質を設置する一組の加重型フライホイールを同期に回転させ、その同期回転が形成する加速作用により、駆動ギアは回転力を拡大し、使用者の施力を軽減し、駆動ギアユニットを同方向へと継続回転させ、こうして２個のペダルユニットは上昇を続け、循環踏み込みのスムーズ操作を達成できる。
【００２１】
また、足の甲の前段は、強制的に上げられた後は平坦な状態を回復し、こうして踵後上方の脹脛に対するストレッチ訓練効果を達成できる。
【００２２】
本考案によるウォーキング式フィットネスマシン構造は、両側のペダルにより駆動ギアを回転させ、伝動ギア、フライホイール等の伝動機構を連動することで、使用者は座った姿勢或いは立った姿勢で、繰り返し踏み込み訓練を行うことができる簡便な構造特性を備え、体積が小さいため場所をとらず、価格が安く、故障率が低い等の多重実用効果を備える。
【００２３】
本考案によるウォーキング式フィットネスマシン構造は、両側のペダルは細長い形態で配置されるため、使用者の足部は踏み込む位置を選択でき、踵を後方に置くと、踏み込む過程で足の甲が上がる角度は大きくなり、ストレッチ効果も強くなる。
【００２４】
また、踵を前方に置くと、踏み込む過程で足の甲が上がる角度は小さくなり、ストレッチ効果も弱くなる。
【００２５】
これにより、使用者は自分に適したストレッチ訓練角度に調整でき、幅広い適用性を実現することができる。
【図面の簡単な説明】
【００２６】
【図１】本考案によるウォーキング式フィットネスマシン構造の分解図である。
【図２】本考案によるウォーキング式フィットネスマシン構造の透視立体模式図である。
【図３】図２中のＡ−Ａ線でカットした断面作動模式図である。
【図４】図２中のＡ−Ａ線でカットした断面作動模式図である。
【図５】図２中のＡ−Ａ線でカットした断面作動模式図である。
【図６】図２中のＡ−Ａ線でカットした断面作動模式図である。
【図７】図２中のＡ−Ａ線でカットした断面作動模式図である。
【図８】図２中のＡ−Ａ線でカットした断面作動模式図である。
【図９】本考案によるウォーキング式フィットネスマシン構造において、使用者が座った姿勢で操作する様子を示す模式図である。
【図１０】本考案によるウォーキング式フィットネスマシン構造において、使用者が座った姿勢で操作する様子を示す模式図である。
【図１１】本考案によるウォーキング式フィットネスマシン構造の別種の実施形態の部分分解模式図である。
【図１２】本考案によるウォーキング式フィットネスマシン構造の別種の実施形態の立体模式図である。
【図１３】本考案によるウォーキング式フィットネスマシン構造の別種の実施形態において、使用者が立った姿勢で操作する様子を示す模式図である。
【考案を実施するための形態】
【００２７】
本考案の一実施形態である、ウォーキング式フィットネスマシン構造１００は、図１及び図２に示す通り、ベース１、サポートアセンブリ２、駆動ギアユニット３、慣性ギアユニット４、２個のペダルユニット５、及び、カバー蓋６を有する。
【００２８】
ベース１は略Ｉ型を呈し、前横棒１１、連接棒１２、及び後横棒１３を有する。
【００２９】
連接棒１２の両端は、前横棒１１及び後横棒１３とそれぞれ連接し、連接棒１２と前横棒１１とは相互に垂直で、連接棒１２と後横棒１３とは相互に垂直である。
【００３０】
サポートアセンブリ２は、第一サポート部材２１、軸棒２２、及び、２個のスリーブ２３を有する。
【００３１】
第一サポート部材２１は、ベース１前端に近い位置から、上方へと延伸して設置される。軸棒２２は、第一サポート部材２１の、ベース１から離れた一端を貫通し、相互に垂直である。２個のスリーブ２３は、回転可能なように、軸棒２２の両端に近い位置にそれぞれ嵌めて設置し、第一サポート部材２１の左右両側にそれぞれ位置する。
【００３２】
駆動ギアユニット３は、第二サポート部材３１、駆動棒３２、駆動ギア３３、２個の連棒３４、及び、２個の転棒３５を有する。
【００３３】
第二サポート部材３１は、ベース１の後端に近い位置から上方へと延伸して設置され、第一サポート部材２１と間隔を開けて設置する。
【００３４】
駆動棒３２は、第二サポート部材３１のベース１から遠い一端を貫通し、同時に駆動ギア３３の中心位置を貫通し、駆動棒３２と駆動ギア３３とは、相互に連動する。
【００３５】
駆動棒３２は、第二サポート部材３１とは垂直で、軸棒２２と平行で、２個の連棒３４は、回転可能なように、駆動棒３２の両端とそれぞれ連接し、駆動ギア３３の左右両側に位置する。
【００３６】
各連棒３４は、駆動棒３２の相互に対応する端から外へ、反対方向へと延伸して設置される。
【００３７】
２個の転棒３５は、図１、図２に示す通り、回転可能なように、相互に対応する各連棒３４の駆動棒３２から離れた一端を貫通し、各転棒３５と駆動棒３２とは相互に平行である。
【００３８】
各転棒３５は、棒体３５１及び２個の回転ランナー３５２を有する。２個の回転ランナー３５２は、棒体３５１の両端と、回転可能なように連接する。
【００３９】
慣性ギアユニット４は、第三サポート部材４１、心軸４２、伝動ギア４３、及び、金属質製成で加重型の２個のフライホイール４４を有する。
【００４０】
第三サポート部材４１は、ベース１から上方へと延伸して設置され、第一サポート部材２１と第二サポート部材３１との間に位置する。
【００４１】
心軸４２は、図１に示す通り、回転可能なように、第三サポート部材４１のベース１から離れた一端を貫通し、心軸４２は、２個のフライホイール４４と伝動ギア４３とを貫通する。
【００４２】
心軸４２と２個のフライホイール４４及び伝動ギア４３とは連動する。伝動ギア４３は、２個のフライホイール４４の間に位置し、伝動ギア４３と駆動ギア３３とは、相互に噛み合う構造である。
【００４３】
軸棒２２、駆動棒３２、及び心軸４２の高さは略相同である。
【００４４】
２個のペダルユニット５は、それぞれベース１の左右両側に位置する。各ペダルユニット５は、本体５１、第一収容設置溝５２、及び、第二収容設置溝５３を有する。
【００４５】
第一収容設置溝５２は、本体５１底面の前端に近い位置に設置され、これに相互に対応するスリーブ２３を回転可能なように収容設置し、第一収容設置溝５２は、相互に対応するスリーブ２３に相対して移動する。
【００４６】
第二収容設置溝５３は、本体５１の底面の後端に近い位置に設置され、これには相互に対応する転棒３５を回転可能なように収容設置し、及び位置を制限する。
【００４７】
本体５１の頂面には、若干のマッサージ突起５１１を形成し、これを使用者２００（図９及び図１０参照）が踏むと、足裏マッサージを同時に行うことができる。
【００４８】
各ペダルユニット５の第二収容設置溝５３は、連接空間５３１及び２個の回転ランナー空間５３２を有する。連接空間５３１の両端は、２個の回転ランナー空間５３２にそれぞれ連通する。
【００４９】
連接空間５３１には、相互に対応する棒体３５１を貫通させ、２個の回転ランナー空間５３２には、相互に対応する２個の回転ランナー３５２を回転可能にそれぞれ収容設置し、位置を制限する。
【００５０】
カバー蓋６は、サポートアセンブリ２、駆動ギアユニット３、及び慣性ギアユニット４を覆って蓋をし、２個のスリーブ２３、２個の連棒３４、及び、２個の転棒３５は露出する。
【００５１】
ウォーキング式フィットネスマシン構造１００の動作を図３〜図５、図９及び図１０を参照して説明する。図９、図１０に示す通り使用者２００が座った姿勢で、踵２１０を利用し、ペダルユニット５の後端に力を加えると、図３に示す通り、駆動ギア３３が前方（反時計方向）へと回転し、連棒３４の一端は、駆動棒３２を中心軸として回転するため、連棒３４の反対端に連接される転棒３５は、ペダルユニット５の第二収容設置溝５３により位置を制限される。
【００５２】
このため、連棒３４の回転は、ペダルユニット５を連動し、矢印直線方向に、上下方向及び前後方向に作動させる。
【００５３】
さらに、軸棒２２は固定され不動であるため、スリーブ２３だけが軸棒２２に相対して矢印方向（反時計方向）に回転する。
【００５４】
よって、ペダルユニット５が連棒３４の連動を受けて前後方向（矢印方向）に移動すると、第一収容設置溝５２は、ペダルユニット５に前後方向の移動の空間を提供できる。
【００５５】
連棒３４が駆動棒３２と駆動ギア３３を連動し回転させると、駆動ギア３３と伝動ギア４３（図１、図２参照）とは噛み合うため、駆動ギア３３は伝動ギア４３の回転を連動し、同時に２個のフライホイール４４の回転を連動できる。
【００５６】
この後、２個のフライホイール４４の慣性回転に加え、伝動ギア４３が連動する駆動ギア３３の回転により、使用者２００の施力を軽減することができる。
【００５７】
また、軸棒２２、駆動棒３２、及び心軸４２の高さは略相同であるため、使用者２００の踵２１０が、ペダルユニット５の後端に従い、連棒３４の最低点まで転じると、それに相対して、足の甲の前段は強制的に上がり、使用者２００の脹脛２２０に対するストレッチの効果を形成する。
【００５８】
また、図６〜図８、図９及び図１０に示す通り、使用者２００が座った姿勢（図９参照）で、踵２１０を利用し、ペダルユニット５の後端に力を加え、駆動ギア３３が後方（時計方向）へと回転すると、連棒３４の一端は、駆動棒３２を中心軸として回転するため、連棒３４の反対端に連接される転棒３５は、ペダルユニット５の第二収容設置溝５３により位置を制限される。
【００５９】
このため、連棒３４の回転は、ペダルユニット５を連動し、直線矢印に示す通り、上下方向及び前後方向に作動させる。
【００６０】
さらに、軸棒２２は固定され不動であるため、スリーブ２３だけが軸棒２２に相対して矢印に示す通り回転する。
【００６１】
よって、ペダルユニット５が連棒３４の連動を受け、前後方向に移動すると、第一収容設置溝５２は、ペダルユニット５に前後方向移動の空間を提供できる。
【００６２】
連棒３４が駆動棒３２と駆動ギア３３を連動し回転させると、駆動ギア３３と伝動ギア４３とは噛み合うため、駆動ギア３３は伝動ギア４３の回転を連動し、同時に２個のフライホイール４４を連動して同期回転を行わせる。
【００６３】
金属質、加重型の２個のフライホイール４４の回転の慣性作用力が形成する加速効果により、駆動ギア３３は回転力を拡大し、使用者の施力を軽減し、駆動ギアユニット３を同方向へと継続回転させ、２個のペダルユニット５は上昇を続け、循環踏み込みのスムーズ操作を達成できる。
【００６４】
また、軸棒２２、駆動棒３２、及び、心軸４２の高さは略相同であるため、使用者２００の踵２１０が、ペダルユニット５の後端に従い、図８に示す通り、連棒３４の最低点まで転じると、上記と同様に、足の甲の前段が強制的に上がり、使用者２００の脹脛２２０に対するストレッチの効果を生じる。
【００６５】
図１１、図１２及び図１３に示す通り、本考案によるウォーキング式フィットネスマシン構造１００の別種の実施形態は、ケーシング７をさらに有し、それはベース１前端（即ち前横棒１１と連接棒１２との連接位置）から上方へと延伸して設置され、ケーシング７にＴ型ハンドル８を上下方向に調整可能なように挿入して設置する。
【００６６】
これにより、使用者２００は立った姿勢でステップを行い、上記のように使用者２００の施力を軽減でき、及び脹脛２２０ストレッチの効果を同時に達成できる。
【００６７】
また、連棒３４の長さを調整することで、使用者２００の脹脛２２０のストレッチ角度を調整し、さまざまな使用者のステップ運動の目的に適応させられる。
【００６８】
本発明の実施形態は、上記の実施形態に何ら限定されるものではなく、本発明の技術的思想を逸脱しない範囲において、改変等を加えることができるものであり、それらの改変、均等物等も本発明の技術的範囲に含まれ、前記技術的範囲に属する限り種々の形態を採り得ることは無論である。
【符号の説明】
【００６９】
１００…ウォーキング式フィットネスマシン構造  １…ベース  １１…前横棒  １２…連接棒  １３…後横棒  ２…サポートアセンブリ  ２１…第一サポート部材  ２２…軸棒  ２３…スリーブ  ３…駆動ギアユニット  ３１…第二サポート部材  ３２…駆動棒  ３３…駆動ギア  ３４…連棒  ３５…転棒  ３５１…棒体  ３５２…回転ランナー  ４…慣性ギアユニット  ４１…第三サポート部材  ４２…心軸  ４３…伝動ギア  ４４…フライホイール  ５…ペダルユニット  ５１…本体  ５１１…マッサージ突起  ５２…第一収容設置溝  ５３…第二収容設置溝  ５３１…連接空間  ５３２…回転ランナー空間  ６…カバー蓋  ７…ケーシング  ８…Ｔ型ハンドル  ２００…使用者  ２１０…踵  ２２０…脹脛
【図１】
0003210356.tif 000003
【図２】
0003210356.tif 000004
【図３】
0003210356.tif 000005
【図４】
0003210356.tif 000006
【図５】
0003210356.tif 000007
【図６】
0003210356.tif 000008
【図７】
0003210356.tif 000009
【図８】
0003210356.tif 000010
【図９】
0003210356.tif 000011
【図１０】
0003210356.tif 000012
【図１１】
0003210356.tif 000013
【図１２】
0003210356.tif 000014
【図１３】
0003210356.tif 000015